(57)【特許請求の範囲】
【請求項１】
被検レンズが挿入されるレンズ配置部を備え、このレンズ配置部に測定部位の位置決め部材を介入して挿入される被検レンズの測定部位に光源からの測定光を透過させた光を積分球で受けて分光特性を測定する前記積分球を含む測定光学系を搭載した分光特性測定装置において、
前記レンズ配置部は、前記積分球の被検レンズからの測定光を受ける入口付近に配置された測定光の透過孔の周辺位置に設けられた突出筒部を有しており、
前記位置決め部材は、前記突出筒部に着脱可能な環状の位置決めリングであり、
被検レンズに付された印点に位置合わせして貼り付けられた前記位置決めリングが前記突出筒部に挿入されたことを検知し前記測定光学系の光源を発光させるレンズ挿入検知手段を設けたことを特徴とする分光特性測定装置。
【発明の詳細な説明】
【０００１】
【発明の属する技術分野】
本発明は、眼鏡レンズ等の分光特性、特に透過率を測定する光学特性測定装置に関するものである。
【０００２】
【従来の技術】
従来、眼鏡作成に使用する被検レンズの光学特性、特に分光透過率を測定する光学特性測定装置として例えば、測定すべき被検レンズを、装置本体に設けた測定用の開口部に臨ませ、測定スイッチを操作することで、光源からの測定光束を被検レンズを透過させ、さらに受光素子により受光して前記被検レンズの分光透過率等を測定するようにしたものが知られている。さらに、外乱の影響を排除するためのキャリブレーションも検者がその都度操作スイッチを操作して行っているのが実情である。
【０００３】
【発明が解決しようとする課題】
しかしながら、上述した従来の光学特性測定装置の場合、測定者が被検レンズを保持し装置本体に設けた測定スイッチを操作して光源を発光させて測定を行うものであるから、検者は両手を使用しなければならず、測定操作が煩雑で操作性が悪いという問題があった。
【０００４】
また、従来の光学特性測定装置の場合、各種の被検レンズによって異なる測定部位を正確に特定して測定することは困難であり、かつ、同種の被検レンズを測定する場合も位置決めの再現性が悪いという問題もあった。さらに、キャリブレーションを行う作業も煩雑であった。
【０００５】
本発明は、上記事情に鑑みてなされたものであり、各種の被検レンズの測定部位を正確に位置決めしつつ自動的に分光特性の測定を実行でき、測定精度を向上できるとともに操作性も良好であり、さらに、キャリブレーションを自動実行できる分光特性測定装置を提供するものである。
【０００６】
【発明が解決しようとする課題】
請求項１記載の発明は、被検レンズが挿入されるレンズ配置部を備え、このレンズ配置部に測定部位の位置決め部材を介入して挿入される被検レンズの測定部位に光源からの測定光を透過させた光を積分球で受けて分光特性を測定する前記積分球を含む測定光学系を搭載した分光特性測定装置において、前記レンズ配置部は、前記積分球の被検レンズからの測定光を受ける入口付近に配置された測定光の透過孔の周辺位置に設けられた突出筒部を有しており、前記位置決め部材は、前記突出筒部に着脱可能な環状の位置決めリングであり、被検レンズに付された印点に位置合わせして貼り付けられた前記位置決めリングが前記突出筒部に挿入されたことを検知し前記測定光学系の光源を発光させるレンズ挿入検知手段を設けたことを特徴とする分光特性測定装置ものである。
【０００７】
この発明によれば、レンズ配置部における測定光の通過孔の周辺位置に設けたレンズ挿入検知手段により位置決め部材が定位置に挿入されたこと、即ち、被検レンズの測定部位に対して前記測定光を透過可能な状態になったことを検知し、前記測定光学系の光源を発光させて測定を実行させるものであるから、レンズ配置部に位置決め部材を介して被検レンズを挿入するだけで自動的に分光特性の測定を実行でき、操作性の良好な分光特性測定装置を提供することができる。
【００２４】
【発明の実施の形態】
以下に、本発明の実施の形態を詳細に説明する。
【００２５】
（実施の形態１）
図１乃至図６は、本発明の実施の形態１の分光特性測定装置の一例である分光透過率計１を示すものである。
【００２６】
この分光透過率計１は、略直方体状の本体２を備え、この本体２の略中央部に詳細は後述する分光透過率を測定する測定光学系の光路Ｌに臨む状態で凹陥部状のレンズ配置部３を設けている。尚、２ａは本体２の底部に備えた脚体である。
【００２７】
前記本体２の上面には、図２に示すように、測定ランプ４、較正ランプ５を配置している。
【００２８】
尚、本体２の上面に手動操作用の測定スイッチ２８、較正スイッチ２９を設けても良いことはいうまでもない。
【００２９】
前記レンズ配置部３には、図１において左側に位置して、後述する位置決めリング２５が装着される円形筒状の突出筒部１１ａを備えた受孔部１１が設けられ、この受孔部１１と対向する側には測定光束の射出口１２が設けられている。また、レンズ配置部３の底部３ａは平坦に形成されている。
【００３０】
前記レンズ配置部３の受孔部１１には、図４に示すように、後述する位置決めリング２５の装着により動作して被検レンズ１０の挿入を検知し、やはり後述する測定光学系の光源１４を発光させるレンズ挿入検知手段としてのマイイクロスイッチ９が配置されている。このマイイクロスイッチ９としては例えば受孔部１１の近傍に１２０度配置で３個設置し、３個のマイイクロスイッチ９全てが動作した時測定光学系の光源１４を発光させるようにすれば確実な測定動作を実行可能となる。
【００３１】
次に、図３を参照して前記分光透過率計１の内部構造を説明する。
【００３２】
この分光透過率計１は、図３に示すように、本体２内における前記射出口１２の右側の領域と、レンズ配置部３と、前記受孔部１１左側の領域とに亘って測定光学系を配置している。
【００３３】
測定光学系は、所定の波長の測定光を射出する例えばキセノンランプのような光源１４からの測定光を反射する第１ミラー１５と、第１ミラー１５からの測定光束を前記射出口１２から受孔部１１に向けて射出するレンズ１６と、このレンズ１６からの測定光束を受光し、開口部１７ａから赤外線及び可視光線のスペクトルとして射出する積分球１７と、積分球１７からの赤外線及び可視光線のスペクトルを反射する第２ミラー１８と、第２ミラー１８からのスペクトルを回折し、波長成分毎に分光する回折格子１９と、回折格子１９からの光を反射する第３ミラー２０と、第３ミラー２０からの光を受光し電気信号に変換する受光素子２１とを具備している。
【００３４】
前記積分球１７、第２ミラー１８、回折格子１９、第３ミラー２０及び受光素子２１は、支持部材２３により定位置に固定支持されている。
【００３５】
上述した構成の分光透過率計１において、レンズ配置部３において被検レンズ１０の特定の測定部位を位置決めする位置決めリング２５について図４を参照して説明する。
【００３６】
まず、図４に示すように、測定者は、被検レンズ１０のレンズ面に予め付されたこの被検レンズ１０の光学情報（例えば光学中心）表示用の印点１０ａを基準として、透明材料からなる環状の位置決めリング２５に予め付された位置合わせ印２５ａを印点１０ａに対して位置合わせしつつこの環状の位置決めリング２５を被検レンズ１０のレンズ面に貼り付ける。
【００３７】
そして、測定者は、位置決めリング２５が貼り付けられた被検レンズ１０を持って図４に示すように前記受孔部１１の円形筒状の突出筒１１ａに位置決めリング２５を嵌合する。
【００３８】
この状態で前記光源１４を発光させ、これにより所定の波長の測定光を射出させることにより、上述した測定光学系による被検レンズ１０の分光透過率の測定が実行されることになる。
【００３９】
図５は本実施の形態１の分光透過率計１の制御系を示すものであり、全体の制御を行う制御部３０を備え、制御部３０に前記マイクロスイッチ９、光源１４、受光素子２１を接続し、マイクロスイッチ９のオン動作で光源１４を発光させるように構成している。
【００４０】
本実施の形態１の分光透過率計１においては、測定者が被検レンズ１０を持って受孔部１１の円形筒状の突出筒１１ａに位置決めリング２５を嵌合する操作を行うだけで、前記マイクロスイッチ９が動作し、光源１４を自動発光させる。また、この時、測定ランプ４が点灯し、被検レンズ１０に対する測定が行われていることを測定者に視認させる。
【００４１】
これにより、わざわざ測定スイッチ２８を操作しなくても自動的に被検レンズ１０の光学特性の一種である分光透過率の測定を実行でき、操作性が極めて良好となる。
【００４２】
また、被検レンズ１０は位置決めリング２５を介して突出筒１１ａに接合されるので、被検レンズ１０の測定に際して外乱光の影響を回避できる。
【００４３】
（実施の形態２）
次に、図６乃至図１０を参照して本発明の実施の形態２について説明する。なお、本実施の形態２においても実施の形態１の場合と同様な構成の分光透過率計１を使用するものである。
【００４４】
本実施の形態２においては、前記受孔部１１の周囲に図６、図７に示すように十字形状を呈する放射状に配置された合計４個のラインセンサを用いたレンズ挿入検知センサ３１を配置するとともに、レンズ配置部３のレンズ挿入検知センサ３１と対向する位置に、光照射手段である環状光源３２及び環状拡散板３３を重合配置している。
【００４５】
また、本実施の形態２の制御系は、図８に示すように、実施の形態１のマイクロスイッチ９に代えて制御部３０にレンズ挿入検知センサ３１、環状光源３２を接続したことが特徴である。
【００４６】
さらに、制御部３０に被検レンズ１０のレンズ径（直径６０ｃｍ，７０ｃｍ，８０ｃｍ等）を設定するレンズ径設定手段である入力部３４を接続している。
【００４７】
本実施の形態２の分光透過率計１によれば、環状光源３２を点灯させ、測定者が入力部３４によりレンズ径を設定した後、当該レンズ径の被検レンズ１０を持って受孔部１１に臨ませると、前記レンズ挿入検知センサ３１は、環状光源３２から射出され、環状拡散板３３を経て拡散した光の被検レンズ１０を透過した光と、透過しない光との透過率の違いを利用してエッジ（外周部）検出を行う。
【００４８】
即ち、この場合のレンズ挿入検知センサ３１が検知する光の透過率特性は、被検レンズ１０が凸レンズの場合は図９上段に示すようになり、被検レンズ１０が凹レンズの場合は図９下段に示すようになる。
【００４９】
この結果、レンズ挿入検知センサ３１を構成する合計４個のラインセンサが同等の透過率特性を示す状態を判定することにより、被検レンズ１０の中心位置（例えば光学中心）を特定できる。また、レンズ挿入検知センサ３１の検知結果により前記測定光学系の光源１４を発光させ被検レンズ１０の測定を自動的に実行でき測定精度の向上を図れる。
【００５０】
図１０は、レンズ挿入検知センサ３１の変形例を示すものであり、十字形状を呈する放射状配置に４群のフォトセンサ３５を列設した構成が特徴である。
【００５１】
この場合、図１０に示す最小円（直径６０ｃｍ）、中間円（直径７０ｃｍ）、最大円（直径８０ｃｍ）の円周の９０度間隔を持った４箇所の各位置に各々３個ずつフォトセンサ３５を配置し、最小円の円周に配置した４個のフォトセンサ３５により直径６０ｃｍの被検レンズ１０の中心位置（例えば光学中心）を特定する。また、中間円の円周に配置した４個のフォトセンサ３５により直径７０ｃｍの被検レンズ１０の中心位置（例えば光学中心）を特定する。さらに、最大円の円周に配置した４個のフォトセンサ３５により直径６８ｃｍの被検レンズ１０の中心位置（例えば光学中心）を特定する。
【００５２】
この他の作用、効果は上述した場合と同様である。
【００５３】
（実施の形態３）
次に、図１１、図１２を参照して本発明の実施の形態３について説明する。なお、本実施の形態３においても実施の形態１の場合と同様な構成の分光透過率計１を使用するものである。
【００５４】
本実施の形態３においては、図１１に示すように、レンズ配置部３の底部３ａ上に、制御部３０の制御の基に上下方向に動作するレンズ受体４２を備えたアクチュエータ４１及び前記レンズ受体４２に配置した圧力スイッチ４３からなるレンズ受兼測定スイッチ機構部４０を設けたことが特徴である。
【００５５】
また、図１２に示すように、制御部３０に被検レンズ１０のレンズ径（直径６０ｃｍ，７０ｃｍ，８０ｃｍ等）を設定するレンズ径設定手段である入力部３４を接続するとともに、前記アクチュエータ４１及び圧力スイッチ４３を接続した構成としている。
【００５６】
本実施の形態３の分光透過率計１によれば、入力部３４の操作でレンズ径を設定し、これにより、アクチュエータ４１のレンズ受体４２がそのレンズ径に応じた位置に移動し、この状態でレンズ配置部３内に当該レンズ径の被検レンズ１０を挿入し、レンズ受体４２に嵌装することで、レンズ受体４２により被検レンズを１０支持しつつ圧力スイッチ４３のオン動作により前記測定光学系の光源１４を発光させて測定を自動的に実行できる。これにより、直径が６０ｃｍ，７０ｃｍ，８０ｃｍ等のように径の異なる被検レンズ１０の分光透過率の測定を極めて操作性良く実行できる。
【００５７】
（実施の形態４）
次に、図１３乃至図１６を参照して本発明の実施の形態４について説明する。なお、本実施の形態４においても基本的には実施の形態１の場合と同様な構成の分光透過率計１を使用するものである。
【００５８】
本実施の形態４においては、実施の形態３の場合と同様な構成であるが、前記レンズ径設定手段である入力部３４を被検レンズ１０の一種である累進レンズ１０Ａの特定の基準位置からの測定部位（例えば光学中心から５ｍｍ等）を設定する測定部位設定手段としても機能させることが特徴である。
【００５９】
即ち、入力部３４によって累進レンズ１０Ａのレンズ径を設定し、かつ、累進レンズ１０Ａの基準位置からの測定部位を設定し、レンズ配置部３に当該レンズ径の累進レンズ１０Ａを挿入し、レンズ受体４２に嵌装することで、レンズ受体４２により累進レンズを１０Ａを支持する。
【００６０】
そして、制御部３０の制御の基にアクチュエータ４１が動作し、入力部３４によって設定した測定部位が前記受孔部１１に臨むようにレンズ受体４２が移動する。
【００６１】
この状態で、前記圧力スイッチ４３のオン動作に基づき制御部３０の制御の基に前記測定光学系の光源１４を発光させて測定を自動的に実行できる。
【００６２】
このような動作により、図１４に示す累進レンズ１０Ａの近用部、中間部、遠用部等の所望の位置や、図１５に示す多焦点レンズ１０Ｂの小玉部１０1 、図１６に示すハーフ染色レンズ１０ＣのアイポイントＩ等、各種の被検レンズ１０の所望の部位の光学特性の測定を操作性良く実行できる。
【００６３】
この場合、実施の形態１で説明した図２に示す構成の本体２の上面に例えばＬＥＤを使用した近用部ランプ６や遠用部ランプ７を付加し、前記圧力スイッチ４３のオン動作やアクチュエータ４１の移動動作に連動して近用部ランプ６、遠用部ランプ７を点灯させてこれらの部位に対する光学特性の測定実行状態を検者に明確に知らせるようにすることも可能である。
【００６４】
（実施の形態５）
次に、図１７を参照して本発明の実施の形態５について説明する。なお、本実施の形態５においても基本的には実施の形態１の場合と同様な構成の分光透過率計１を使用するものである。
【００６５】
本実施の形態５においては、前記分光透過率計１の構成に加えて、図１７に示すように、レンズ配置部３を施蓋する蓋体５１を設けるとともに、この蓋体５１の開蓋又は閉蓋状態を検知する蓋開閉検知部である例えばマイクロスイッチ５２をレンズ配置部３内の蓋体５１の開閉領域に設け、制御部３０の制御の基にこの分光透過率計１における電源投入時、マイクロスイッチ５２により蓋体５１が閉蓋状態から開蓋状態に転じた時を検知して制御部３０の制御の基に所定時間前記測定光学系のキャリブレーションを実行するようにしたものである。
【００６６】
さらに、実施の形態１で説明した図２に示す構成の本体２の上面に例えば手動キャリブレーションスイッチ８ａ及びキャリブレーション促進ランプ８ｂを設けておき、マイクロスイッチ５２により蓋体５１が開蓋状態に転じた時点から例えば前記レンズ挿入検知センサ３１が被検レンズ１０の挿入を検知しない場合に、キャリブレーション促進ランプ８ｂを点滅させて手動キャリブレーションスイッチ８ａによる手動キャリブレーションを促すようにすることもできる。
【００６７】
これにより、分光透過率計１に対する温度変化、外光の進入等の外乱による影響を常時回避でき、常に良好な測定特性を維持できる。
【００６８】
（実施の形態６）
次に、本発明の実施の形態６について説明する。なお、本実施の形態６においても基本的には実施の形態１の場合と同様な構成の分光透過率計１を使用するものである。
【００６９】
本実施の形態６においては、例えば実施の形態１の図５に示す制御系と同様な制御系を採用し、マイクロスイッチ９による被検レンズ１０の検知結果を基に、検知結果がレンズ有りからレンズ無しに転じた後に所定時間間隔で前記測定光学系のキャリブレーションを行い、前記検知結果がレンズ無しからレンズ有りに転じた時に、以後キャリブレーションを停止させるようにするものである。
【００７０】
本実施の形態６によれば、レンズ配置部３に被検レンズ１０が無い状態では所定時間間隔でキャリブレーションが実行されて外乱による影響を回避でき、また検知結果がレンズ有りに転じた時には直ちにキャリブレーションが停止され、この後レンズ有り状態が継続しても誤ってキャリブレーションが実行されることはなく、この結果、前記測定光学系に対する外乱による影響を回避して被検レンズ１０に対する安定した測定機能を発揮させることができる。
【００７１】
この場合にも、実施の形態１で説明した図２に示す構成の本体２の上面に例えば手動キャリブレーションスイッチ８ａ及びキャリブレーション促進ランプ８ｂ設けておき、例えば前記レンズ挿入検知センサ３１が被検レンズ１０の挿入無しを検知してから所定時間経過後、キャリブレーション促進ランプ８ｂを点滅させて手動キャリブレーションスイッチ８ａによる手動キャリブレーションを促すようにすることもできる。
【００７２】
図１８は、本実施の形態の分光透過率計１を、表示部６２、測定部６３、キー入力部６４等を備えた本体６１に組み込んだ複合機能付レンズメータ６０を示すものである。
【００７３】
このようなレンズメータ６０によれば、被検レンズ１０に対する分光透過率計１の測定結果を表示部６２に直ちに表示して利用したり、図示しない眼鏡レンズを装着した眼鏡フレームの透過率の測定結果を表示部６２に表示することが可能となり、レンズメータ６０の機能の多様化を図れる。
【００７４】
（実施の形態７）
次に、図１９乃至図２１を参照して本発明の実施の形態７である分光特性測定システムについて説明する。
【００７５】
本実施の形態７である分光特性測定システムは、図１９に示すように、例えば図１２に示すような実施の形態３の分光透過率計１と、通信線７０を介して接続されたレンズメータ６０及びコンピュータ装置９０を備えた構成となっている。
【００７６】
分光透過率計１の構成は実施の形態３の場合と同様である。また、レンズメータ８０は、図１８に示す場合と同様に表示部６２、測定部６３、キー入力部６４等を備え、さらにレンズメータ制御部８１を具備している。
【００７７】
コンピュータ装置９０は、画像表示を行う表示部９２、本体制御部９３、各種データの入力操作を行う入力部９４を具備している。そして、分光透過率計１とレンズメータ制御部８１と本体制御部９３とを相互に通信線７０により接続した構成となっている。
【００７８】
この分光特性測定システムの動作を図２０乃至図２３をも参照し、前記被検レンズ１０の分光特性の測定結果の表示を主にして以下に説明する。
【００７９】
図２０は、例えばレンズメータ６０の表示部６２（又はコンピュータ装置９０の表示部９２）に表示される前記被検レンズ１０の分光特性（分光透過率特性）を示すものである。
【００８０】
図２０に示す例では、波長２８０乃至３１５ｎｍのＵＶ（短波長紫外線）Ｂ値５％、波長３１５乃至３８０ｎｍのＵＶ（長波長紫外線）Ａ値５９％並びにこれらのデータの横軸に波長縦軸に透過率をとったグラフＧ、測定エラー等のメッセージ欄６２ａ、ファンクション表示部６２ｂ等が表示される。
【００８１】
図２１に示す例は、ＣＩＥ規格による色度図を示すものである。この場合には例えば可視視感透過率Ｖｉｓ、ＣＩＥ色度座標ｘ値ｘ＝０．３１４、ＣＩＥ色度座標ｙ値ｙ＝０．３３１のデータや、ＣＩＥ色度図、測定エラー等のメッセージ欄６２ａ、ファンクション表示部６２ｂ等が表示される。コンピュータ装置９０の表示部９２についても上述した場合と同様である。
【００８２】
この分光特性測定システムによれば、レンズメータ６０やコンピュータ装置９０に被検レンズ１０の分光特性の測定結果が取り込まれて表示されるので、当該分光特性の測定結果の利用や把握を容易に行うことができる。
【００８３】
次に図２２、図２３を参照して本発明の応用例を説明する。
【００８４】
図２２は、上述した各実施の形態の分光透過率計１によりコンタクトレンズ１００の分光特性の測定を行う場合を示すものであり、この場合には、コンタクトレンズホルダ１０１にピンセット１０５等を使用してコンタクトレンズ１００を載せて位置決めし、透明シート１０２を被せ、さらにコンタクトレンズホルダ１０１を図２２下欄に示すようにレンズ配置部３にセットしてコンタクトレンズ１００を動かない状態とし、この状態で記述した場合と同様にして分光特性の測定を行うものである。これにより、コンタクトレンズ１００に関しても既述した場合と同様にして分光特性の測定を操作性よく実行できる。
【００８５】
図２３は、上述した各実施の形態の分光透過率計１により枠１１１に装着済みの眼鏡レンズ１１０の分光特性の測定を行う場合を示すものであり、この場合にも図４に示す場合と同様にして位置決めリング２５を使用して眼鏡レンズ１１０をレンズ配置部３にセットし、この状態で記述した場合と同様にして分光特性の測定を行うものである。これにより、枠１１１に装着済みの眼鏡レンズ１１０に関しても既述した場合と同様にして分光特性の測定を操作性よく実行できる。
【００８６】
請求項１の発明によれば、レンズ配置部に被検レンズを挿入するだけで自動的に被検レンズ光学特性の測定をでき、操作性の良好な分光特性測定装置を提供することができる。
【図面の簡単な説明】
【図１】本発明の実施の形態１の分光透過率計を示す正面図である。
【図２】本発明の実施の形態１の分光透過率計を示す平面図である。
【図３】本発明の実施の形態１の分光透過率計を示す部分切欠断面図である。
【図４】本発明の実施の形態１の分光透過率計における被検レンズの位置決め状態を示す概略図である。
【図５】本発明の実施の形態１の分光透過率計の制御系を示すブロック図である。
【図６】本発明の実施の形態２の分光透過率計の部分切欠断面図である。
【図７】本発明の実施の形態２のレンズ挿入検知センサを示す拡大図である。
【図８】本発明の実施の形態２の分光透過率計の制御系を示すブロック図である。
【図９】本発明の実施の形態２における凸レンズ、凹レンズの透過率特性を示す図である。
【図１０】本発明の実施の形態２のレンズ挿入検知センサの変形例を示す拡大図である。
【図１１】本発明の実施の形態３の分光透過率計の部分切欠断面図である。
【図１２】本発明の実施の形態３の分光透過率計の制御系を示すブロック図である。
【図１３】の部分切欠断面図である。
【図１４】本発明の実施の形態４における累進レンズを示す平面図である。
【図１５】本発明の実施の形態４における多焦点レンズを示す平面図である。
【図１６】本発明の実施の形態４におけるハーフ染色レンズを示す平面図である。
【図１７】本発明の実施の形態５の分光透過率計の概略斜視図である。
【図１８】本発明の実施の形態２の分光透過率計を組み込んだ複合機能付レンズメータを示す斜視図である。
【図１９】本発明の実施の形態７の分光透過率測定システムを示すブロック図である。
【図２０】本実施の形態７の分光特性の表示例を示す説明図である。
【図２１】本実施の形態７の分光特性の表示の他例を示す説明図である。
【図２２】本発明のコンタクトレンズに関する応用例を示す説明図である。
【図２３】本発明における枠に装着済みである眼鏡レンズに関する応用例を示す説明図である。
【符号の説明】
１  分光透過率計
２  本体
３  レンズ配置部
３ａ  底部
４  測定ランプ
５  較正ランプ
９  マイクロスイッチ
１０  被検レンズ
１０ａ  印点
１０Ａ  累進レンズ
１０Ｂ  多焦点レンズ
１０Ｃ  ハーフ染色レンズ
１１  受孔部
１１ａ  突出筒部
１２  射出口
１４  光源
１７  積分球
１９  回折格子
２１  受光素子
２５  位置決めリング
３０  制御部
３１  レンズ挿入検知センサ
３４  入力部
３５  フォトセンサ
４０  レンズ受兼測定スイッチ機構部
４１  アクチュエータ
４２  レンズ受体
４３  圧力スイッチ
５１  蓋体
５２  マイクロスイッチ
【図１】
0004390888.tif 000002
【図２】
0004390888.tif 000003
【図３】
0004390888.tif 000004
【図４】
0004390888.tif 000005
【図５】
0004390888.tif 000006
【図６】
0004390888.tif 000007
【図７】
0004390888.tif 000008
【図８】
0004390888.tif 000009
【図９】
0004390888.tif 000010
【図１０】
0004390888.tif 000011
【図１１】
0004390888.tif 000012
【図１２】
0004390888.tif 000013
【図１３】
0004390888.tif 000014
【図１４】
0004390888.tif 000015
【図１５】
0004390888.tif 000016
【図１６】
0004390888.tif 000017
【図１７】
0004390888.tif 000018
【図１８】
0004390888.tif 000019
【図１９】
0004390888.tif 000020
【図２０】
0004390888.tif 000021
【図２１】
0004390888.tif 000022
【図２２】
0004390888.tif 000023
【図２３】
0004390888.tif 000024